(57)【特許請求の範囲】
【請求項１】
底面部材、左右の側面部材、上面部材及び後面部材からなるかご状本体の前面に小動物が進入可能な進入口部が形成され、該進入口部を開閉可能な閉込扉体が設けられ、該かご状本体内に餌付杆が吊下配置され、該閉込扉体を該進入口部が開口する開口状態に保持すると共に餌付杆に取り付けた餌に小動物が食い付いて餌付杆が揺れ動いたとき該閉込扉体を閉口動作させるトリガー杆を設けてなり、上記閉込扉体を上辺部が奥側に位置して下辺部が手前側に位置する傾斜状に配置し、該閉込扉体の上辺部をかご状本体の上面部材に枢着すると共に該閉込扉体の下辺部をかご状本体の底面部材に当接離反可能に形成し、該閉込扉体の下辺部に規制扉体の下辺部を枢着すると共に該規制扉体の上辺部をかご状本体の上面部材に当接可能に形成し、該閉込扉体と該規制扉体とを該閉込扉体と規制扉体との枢着位置を中心として開動作させるねじりバネ部材を架設すると共に該閉込扉体と該規制扉体との間に該規制扉体を略垂直位置に保持可能な引掛杆を架設し、該規制扉体に上記トリガー杆に係脱可能な係留杆を枢着してなり、該閉込扉体と該規制扉体とを該ねじりバネ部材に抗して折畳んだ状態で跳ね上げ、略水平位置で該係留杆を上記トリガー杆に係留して上記進入口部が開口する待機状態に保持され、餌付杆が揺れ動いたときトリガー杆は係留杆を離脱釈放し、閉込扉体は閉口動作して傾斜状に配置されると共に規制扉体の上辺部はかご状本体の上面部材に当接して閉口状態に保持されるように構成したことを特徴とする小動物捕獲器。
【請求項２】
上記かご状本体の後面に小動物の取出口部が形成され、取出口部に上記後面部材を開閉自在に設けてなることを特徴とする請求項１記載の小動物捕獲器。
【請求項３】
上記かご状本体の左右の側面部材は上下に二分割された上下一対の半面部材に形成され、該上下一対の半面部材は内方に向けて互いにく字状に折曲自在に枢着され、上記後面部材の下辺部はかご状本体の底面部材に開閉自在に枢着されていることを特徴とする請求項１又は２記載の小動物捕獲器。
【発明の詳細な説明】
【技術分野】
【０００１】
本発明は、例えば、タヌキ、アライグマ、ハクビシン、キツネ、イタチなどの小動物を捕獲する際に用いられる小動物捕獲器に関するものである。
【背景技術】
【０００２】
従来、この種の小動物捕獲器として、かご状本体の前面に小動物が進入可能な進入口部が形成され、進入口部を開閉可能な閉込扉体が設けられ、閉込扉体を閉口動作させるバネ部材が配設され、閉込扉体を該進入口部が開口する開口状態に保持すると共に小動物が餌に食い付くことにより閉込扉体を閉口作動させる構造のものが知られている。
【先行技術文献】
【特許文献】
【０００３】
【特許文献１】実用新案登録第３１５３２１８号
【発明の概要】
【発明が解決しようとする課題】
【０００４】
しかしながら上記従来構造の場合、上記バネ部材はかご状本体の左右の側面部材の外方に配置され、進入口部の左右辺部に左右一対のガイド杆が縦設され、ガイド杆間に押さえ杆が上下動自在に係合された構造となっており、それだけ、閉込扉体の開閉構造が複雑化し、製作コストの低減を図ることができないことがあるという不都合を有している。
【課題を解決するための手段】
【０００５】
本発明はこれらの不都合を解決することを目的とするもので、本発明のうちで、請求項１記載の発明は、底面部材、左右の側面部材、上面部材及び後面部材からなるかご状本体の前面に小動物が進入可能な進入口部が形成され、該進入口部を開閉可能な閉込扉体が設けられ、該かご状本体内に餌付杆が吊下配置され、該閉込扉体を該進入口部が開口する開口状態に保持すると共に餌付杆に取り付けた餌に小動物が食い付いて餌付杆が揺れ動いたとき該閉込扉体を閉口動作させるトリガー杆を設けてなり、上記閉込扉体を上辺部が奥側に位置して下辺部が手前側に位置する傾斜状に配置し、該閉込扉体の上辺部をかご状本体の上面部材に枢着すると共に該閉込扉体の下辺部をかご状本体の底面部材に当接離反可能に形成し、該閉込扉体の下辺部に規制扉体の下辺部を枢着すると共に該規制扉体の上辺部をかご状本体の上面部材に当接可能に形成し、該閉込扉体と該規制扉体とを該閉込扉体と規制扉体との枢着位置を中心として開動作させるねじりバネ部材を架設すると共に該閉込扉体と該規制扉体との間に該規制扉体を略垂直位置に保持可能な引掛杆を架設し、該規制扉体に上記トリガー杆に係脱可能な係留杆を枢着してなり、閉込扉体と該規制扉体とを該ねじりバネ部材に抗して折畳んだ状態で跳ね上げ、該略水平位置で該係留杆を上記トリガー杆に係留して上記進入口部が開口する待機状態に保持され、餌付杆が揺れ動いたときトリガー杆は係留杆を離脱釈放し、閉込扉体は閉口動作して傾斜状に配置されると共に規制扉体の上辺部はかご状本体の上面部材に当接して閉口状態に保持されるように構成したことを特徴とする小動物捕獲器にある。
【０００６】
又、請求項２記載の発明は、上記かご状本体の後面に小動物の取出口部が形成され、取出口部に上記後面部材を開閉自在に設けてなることを特徴とするものであり、又、請求項３記載の発明は、上記かご状本体の左右の側面部材は上下に二分割された上下一対の半面部材に形成され、該上下一対の半面部材は内方に向けて互いにく字状に折曲自在に枢着され、上記後面部材の下辺部はかご状本体の底面部材に開閉自在に枢着されていることを特徴とするものである。
【発明の効果】
【０００７】
本発明は上述の如く、請求項１記載の発明にあっては、閉込扉体と規制扉体とをねじりバネ部材に抗して折畳んだ状態で跳ね上げ、略水平位置で係留杆を上記トリガー杆で押さえて係留して上記進入口部が開口する待機状態に保持することになり、この待機状態において、小動物が進入口部からかご状本体に侵入し、小動物が餌に食い付いて餌付杆が揺れ動いたときトリガー杆は引動されてトリガー杆から係留杆が離脱釈放し、閉込扉体は閉口動作して傾斜状に配置されると共に規制扉体は引掛杆により開動作が規制されて垂直位置が保持され、かつ、規制扉体の上辺部はかご状本体の上面部材に当接可能に形成されているから閉込扉体の傾斜状の閉口状態が確実に保持され、小動物をかご状本体内に捕獲することができ、さらに、上記閉込扉体は略水平位置から傾斜状に閉塞回動することになり、上記閉込扉体の閉塞回動角度を小さくすることができ、それだけ、閉込扉体をすばやく閉塞回動させることができ、小動物の捕獲効率を高めることができ、さらに、上記閉込扉体を閉塞揺動させるバネ部材としてねじりバネ部材を用いているので、閉込扉体の開閉構造が簡素化して製作コストの低減を図ることができる。
【０００８】
又、請求項２記載の発明にあっては、上記かご状本体の後面は小動物の取出口部に形成され、取出口部に上記後面部材を開閉自在に設けてなるから、捕獲された小動物をかご状本体内から容易に取り出すことができ、又、請求項３記載の発明にあっては、上記かご状本体の左右の側面部材は上下に二分割された上下一対の半面部材に形成され、上下一対の半面部材は内方に向けて互いにく字状に折曲自在に枢着され、上記後面部材の下辺部はかご状本体の底面部材に開閉自在に枢着されているから、閉口状態において、閉込扉体及び規制扉体を水平位置に跳ね上げると共に後面部材を倒伏回動し、側面部材をく字状に折曲し、上面部材と底面部材とを近接させて折り畳むことができ、かご状本体をコンパクトに折り畳むことができ、可搬性及び不使用時の保管性を向上することができる。
【図面の簡単な説明】
【０００９】
【図１】本発明の実施の形態例の全体斜視図である。
【図２】本発明の実施の形態例の全体側面図である。
【図３】本発明の実施の形態例の全体平面図である。
【図４】本発明の実施の形態例の全体前面図である。
【図５】本発明の実施の形態例の全体後面図である。
【図６】本発明の実施の形態例の閉口状態の部分拡大斜視図である。
【図７】本発明の実施の形態例の閉口状態の部分拡大側断面図である。
【図８】本発明の実施の形態例の開口状態の部分拡大斜視図である。
【図９】本発明の実施の形態例の開口状態の部分拡大側断面図である。
【図１０】本発明の実施の形態例の後部の部分拡大側断面図である。
【図１１】本発明の実施の形態例の前部の部分拡大斜視図である。
【図１２】本発明の実施の形態例の後部の部分拡大斜視図である。
【図１３】本発明の実施の形態例の折畳状態の説明斜視図である。
【図１４】本発明の実施の形態例の使用状態の説明側断面図である。
【発明を実施するための形態】
【００１０】
図１乃至図１４は本発明の実施の形態例を示し、１はかご状本体であって、この場合、線材Ｗからなる網目状の底面部材１ａ、左右の側面部材１ｂ・１ｂ、上面部材１ｃ及び後面部材１ｄからなる四角かご状に形成され、前面に小動物が進入可能な進入口部２が形成されている。
【００１１】
３は閉込扉体であって、上記かご状本体１の上面部材１ｃの線材Ｗに餌付杆４の上端部を係合してかご状本体１内に餌付杆４を吊下配置し、閉込扉体３を進入口部２が開口する開口状態に保持すると共に餌付杆４に取り付けた餌Ｅに小動物が食い付いて餌付杆４が揺れ動いたとき閉込扉体３を閉口動作させるトリガー杆５を設け、この場合、かご状本体１の上面部材１ｃに軸受板５ａ・５ａを配置し、軸受板５ａ・５ａの軸受穴５ｃにトリガー杆５を摺動自在に軸架し、トリガー杆５の後端部を上記餌付杆４のフック状の上端部に係合してなり、そして、上記閉込扉体３を上辺部３ａが奥側に位置して下辺部３ｂが手前側に位置する傾斜状に配置し、閉込扉体３の上辺部３ａをかご状本体１の上面部材１ｃに上枢着部Ｓにより枢着すると共に閉込扉体３の下辺部３ｂをかご状本体１の底面部材１ａに当接離反可能に形成し、閉込扉体３の下辺部３ｂに規制扉体６の下辺部６ｂを下枢着部Ｄにより枢着すると共に規制扉体６の上辺部６ａをかご状本体１の上面部材１ｃに当接可能に形成し、閉込扉体３と規制扉体６とを閉込扉体３と規制扉体６との下枢着部Ｄである枢着位置を中心として開動作させるねじりバネ部材７を架設すると共に閉込扉体３と規制扉体６との間に規制扉体６を略垂直位置Ｖに保持可能な平面略コ状の引掛杆８を架設し、この場合、ねじりバネ部材７のコイル部７ａを閉込扉体３の線材Ｗに枢着すると共にねじりバネ部材７の一対の遊離端部７ｂ・７ｂをそれぞれ閉込扉体３及び規制扉体６に弾圧架設し、略平面コ状の引掛杆８のフック状の両端部８ａ・８ａを閉込扉体３の線材Ｗに係合枢着し、引掛杆８の中程部８ｂを規制扉体６に係合枢着し、規制扉体６に上記トリガー杆５に係脱可能な略平面コ状の係留杆９のフック状の両端部９ａ・９ａを係合枢着してなり、閉込扉体３と規制扉体６とをねじりバネ部材７に抗して折畳んだ状態で跳ね上げ、略水平位置Ｈで係留杆９の中程部９ｂを上記トリガー杆５の端部５ｂで押さえて係留して上記進入口部２が開口する待機状態に保持され、餌付杆４が揺れ動いたときトリガー杆５は係留杆９を離脱釈放し、閉込扉体３は閉口動作して傾斜状に配置されると共に規制扉体６の上辺部６ａはかご状本体１の上面部材１ｃに当接して閉口状態に保持されることになる。
【００１２】
この場合、上記かご状本体１の後面は小動物の取出口部１０に形成され、取出口部１０に上記後面部材１ｄを開閉自在に設け、この場合、図５、図１０、図１２の如く、後面部材１ｄの下辺部をかご状本体１の底面部材１ａに枢着部Ａにより開閉自在に枢着し、後面部材１ｄに挿通管Ｆを固着し、挿通管Ｆに、図５、図１２の如く、挿通ボルトＢを挿通し、挿通ボルトＢの一方端部にＬ状部Ｂ１が形され、他方端部に蝶ナットＢ２を螺着し、後面部材１ｄを垂直位置に保持して取出口部１０を閉口状態に保持すると共に蝶ナットＢ２を弛緩回動して挿通ボルトＢを取り外すことにより後面部材１ｄを倒伏して取出口部１０を開口するように構成している。
【００１３】
又、この場合、上記かご状本体１の左右の側面部材１ｂ・１ｂは上下に二分割された上下一対の半面部材Ｒ・Ｒに形成され、上下一対の半面部材Ｒ・Ｒは中枢着部Ｎにより内方に向けて互いにく字状に折曲自在に枢着され、上側の半面部材Ｒは上面部材１ｃに枢着上部Ｇにより枢着され、下側の半面部材Ｒは底面部材１ａに枢着下部Ｐにより枢着され、上記後面部材１ｄの下辺部はかご状本体１の底面部材１ａに枢着部Ａにより開閉自在に枢着し、上下の半面部材Ｒ・Ｒにそれぞれ挿通筒Ｔ・Ｔを固着し、上下の挿通筒Ｔ・Ｔ間に挿通可能な挿通ボルトＣの一方端部にＬ状部Ｃ１が形成され、上下の挿通筒Ｔ・Ｔ間に挿通ボルトＣを挿通することにより上下の半面部材Ｒ・Ｒの折曲を阻止し、挿通筒Ｔ・Ｔから挿通ボルトＣを取り外すことにより上下の半面部材Ｒ・Ｒの折曲を許容するように構成している。
【００１４】
この実施の形態例は上記構成であるから、図１、図２、図３、図４、図６、図７、図１１の閉口状態において、図８、図９の如く、閉込扉体３と規制扉体６とをねじりバネ部材７に抗して折畳んだ状態で跳ね上げ、略水平位置Ｈで係留杆９の中程部９ｂを上記トリガー杆５の端部５ｂで押さえて係留して上記進入口部２が開口する待機状態に保持することになり、この待機状態において、図１４の如く、小動物が進入口部２からかご状本体１に侵入し、小動物が餌Ｅに食い付いて餌付杆４が揺れ動いたときトリガー杆５は引動されてトリガー杆５の端部５ｂから係留杆９が離脱釈放し、図６、図７の如く、閉込扉体３は閉口動作して傾斜状に配置されると共に規制扉体６は引掛杆８により開動作が規制されて垂直位置Ｖが保持され、かつ、規制扉体６の上辺部６ａはかご状本体１の上面部材１ｃに当接可能に形成されているから閉込扉体３の傾斜状の閉口状態が確実に保持され、小動物をかご状本体１内に捕獲することができ、さらに、上記閉込扉体３は略水平位置Ｈから傾斜状に閉塞回動することになり、上記閉込扉体３の閉塞回動角度を小さくすることができ、それだけ、閉込扉体３をすばやく閉塞回動させることができ、小動物の捕獲効率を高めることができ、さらに、上記閉込扉体３を閉塞揺動させるバネ部材としてねじりバネ部材を用いているので、閉込扉体３の開閉構造が簡素化して製作コストの低減を図ることができる。
【００１５】
この場合、上記かご状本体１の後面は小動物の取出口部１０に形成され、取出口部１０に上記後面部材１ｄを開閉自在に設けてなるから、捕獲された小動物をかご状本体１内から容易に取り出すことができ、又、この場合、上記かご状本体１の左右の側面部材１ｂ・１ｂは上下に二分割された上下一対の半面部材Ｒ・Ｒに形成され、上下一対の半面部材Ｒ・Ｒは内方に向けて互いにく字状に折曲自在に枢着され、上記後面部材１ｄの下辺部はかご状本体１の底面部材１ａに開閉自在に枢着されているから、図１３（ａ）の閉口状態において、（ｂ）の如く、閉込扉体３及び規制扉体６を水平位置Ｈに跳ね上げると共に後面部材１ｄを倒伏回動し、（ｃ）の如く、側面部材１ｂ・１ｂをく字状に折曲し、上面部材１ｃと底面部材１ａとを近接させて折り畳むことができ、かご状本体１をコンパクトに折り畳むことができ、可搬性及び不使用時の保管性を向上することができる。
【００１６】
尚、本発明は上記実施の形態例に限られるものではなく、上記かご状本体１、閉込扉体３、規制扉体６の形状や大きさ、構造、材質等は適宜変更して設計されるものである。
【００１７】
以上の如く、所期の目的を充分達成することができる。
【符号の説明】
【００１８】
Ｅ    餌
Ｖ    垂直位置
Ｈ    水平位置
Ｒ    半面部材
１    かご状本体
１ａ    底面部材
１ｂ    側面部材
１ｃ    上面部材
１ｄ    後面部材
２    進入口部
３    閉込扉体
３ａ    上辺部
３ｂ    下辺部
４    餌付杆
５    トリガー杆
６    規制扉体
６ａ    上辺部
６ｂ    下辺部
７    ねじりバネ部材
８    引掛杆
９    係留杆
１０    取出口部
【図１】
0005943493.tif 000002
【図２】
0005943493.tif 000003
【図３】
0005943493.tif 000004
【図４】
0005943493.tif 000005
【図５】
0005943493.tif 000006
【図６】
0005943493.tif 000007
【図７】
0005943493.tif 000008
【図８】
0005943493.tif 000009
【図９】
0005943493.tif 000010
【図１０】
0005943493.tif 000011
【図１１】
0005943493.tif 000012
【図１２】
0005943493.tif 000013
【図１３】
0005943493.tif 000014
【図１４】
0005943493.tif 000015